(57)【要約】【課題】剤を吐出可能にする清掃具において、簡易かつ軽量化しながら、剤の吐出操作性を向上すること。【解決手段】清掃具１０であって、足踏作動式の剤吐出器２４を清掃ヘッド２１に設けたもの。【選択図】  図１
2004242801.tif 000002
【特許請求の範囲】
【請求項１】
足踏作動式の剤吐出器を清掃ヘッドに設けた清掃具。
【請求項２】
前記清掃ヘッドの内部に剤吐出器の吐出口を配置し、清掃ヘッドの底部を剤透過底部とする請求項１に記載の清掃具。
【請求項３】
前記清掃ヘッドの剤透過底部に清掃シートを巻付け可能にする請求項２に記載の清掃具。
【発明の詳細な説明】
【０００１】
【発明の属する技術分野】
本発明は清掃具に関する。
【０００２】
【従来の技術】
特許文献１に記載の如く、柄の下端に清掃ヘッドを連結し、柄の中間部に取付けられるワックスタンクと清掃ヘッドの内部に設けられるワックス槽とをパイプにて接続し、このパイプの中間部位に手動式開閉バルブを設けた清掃具がある。開閉バルブを開いてワックスタンクのワックスをパイプ経由でワックス槽に供給すると、ワックス槽に供給されたワックスがその流出孔から流れ出し、床面等に均一に塗布される。
【０００３】
【特許文献１】
特開平２−７７２２２（３頁、第１図）
【０００４】
【発明が解決しようとする課題】
▲１▼柄の中間部にワックスタンクを取付け、このワックスタンクに接続されるパイプの中間部位に手動式開閉バルブを設けるものであり、開閉バルブは柄の中間部に取付けたワックスタンクより下方に位置するものになる。このため、使用者は腰をかがめて開閉バルブを操作する必要があり、操作性が悪い。
【０００５】
▲２▼上述▲１▼を解決するために、柄の上部に開閉操作部を設ける場合には、開閉操作部と開閉バルブを連結するリンク機構を柄の内部に延在する必要を生じ、清掃具が複雑になるし、重量も重くなる。
【０００６】
本発明の課題は、剤を吐出可能にする清掃具において、簡易かつ軽量化しながら、剤の吐出操作性を向上することにある。
【０００７】
【課題を解決するための手段】
請求項１の発明は、足踏作動式の剤吐出器を清掃ヘッドに設けた清掃具である。
【０００８】
【発明の実施の形態】
清掃具１０は、柄１１の下端に自在継手１２を介して清掃ヘッド２１を連結し、洗剤、ワックス等の剤を伴なう湿式、又は剤を伴なわない乾式により、床面等の被清掃具を清掃可能にする。
【０００９】
清掃具１０は、柄１１の中間部にパウチ１を着脱可能に取付け、パウチ１に洗剤、ワックス等の剤を収容する。パウチ１は上端側の取付孔１Ａを柄１１に通し、下端側の止め具１Ｂを柄１１に係脱自在にする。
【００１０】
清掃具１０は、清掃ヘッド２１をベース２２と、ベース２２に嵌着されるカバー２３にて構成し、カバー２３に足踏作動式の剤吐出器２４を設ける。
【００１１】
剤吐出器２４は、足踏ポンプ式であり、カバー２３の内外に貫通するように埋め込まれる有底箱状ポンプハウジング２５と、ポンプハウジング２５の内壁にシールリング２６を介して液密かつ摺動自在に嵌合される有天箱状の足踏プランジャ２７と、ポンプハウジング２５の底面中央に設けた上向き突起２５Ａとプランジャ２７の天面（足踏面２９）の中央に設けた下向き突起２７Ａとに挿着されてプランジャ２７を上向きに付勢するコイルスプリング２８とを有する。
【００１２】
剤吐出器２４は、ポンプハウジング２５とプランジャ２７によりポンプ室３０を形成する。剤吐出器２４は、スプリング２８により上向きに付勢されているプランジャ２７の天面の足踏面２９を足踏することにより、プランジャ２７をポンプハウジング２５に押し込んでポンプ室３０を収縮（加圧動作）し、プランジャ２７の天面の幅方向の両側に設けた張り出し部２７Ｃをカバー２３（又はポンプハウジング２５のフランジ２５Ｃ）の上面に衝合させることにより、その押し込みの下動端を規制する。プランジャ２７の足踏面２９を足踏解除すると、スプリング２８の付勢力がプランジャ２７をポンプハウジング２５から押出してポンプ室３０を拡張（減圧動作）し、プランジャ２７の外周に設けた係止部２７Ｂをポンプハウジング２５の内周に設けたストッパ２５Ｂに係止させることにより、その押出しの上動端を規制する。
【００１３】
剤吐出器２４は、パウチ１の剤吐出口に接続されるチューブ３１が接続される流入ポート３２を備える（図２（Ｂ））。流入ポート３２はポンプハウジング２５の底面側からフランジ２５Ｃの上部に延在され、チェック弁３３を内蔵する。剤吐出器２４のポンプ室３０が足踏解除により減圧動作せしめられるとき、チェック弁３３はポンプ室３０の側の十字状ボール止め３４に当たり、パウチ１の剤をチューブ３１、流入ポート３２経由でポンプ室３０に吸込む。剤吐出器２４のポンプ室３０が足踏により加圧動作せしめられるとき、チェック弁３３はチューブ３１の側の弁シート３５に着座し、ポンプ室３０に吸込み済の剤の逆流を止める。
【００１４】
剤吐出器２４は、カバー２３の内部に吐出ノズル３６を設け、吐出ノズル３６の吐出口３７をベース２２のメッシュ状（スポンジ状等の他の剤透過構造でも可）底部が構成する剤透過底部３８に臨ませている。そして、剤吐出器２４は、吐出ノズル３６に接続されるチューブ４１が接続される流出ポート４２を備える（図２（Ａ））。流出ポート４２はポンプハウジング２５の底面側から清掃ヘッド２１の内部に突設され、チェック弁４３を内蔵する。剤吐出器２４のポンプ室３０が足踏により加圧動作せしめられるとき、チェック弁４３はチューブ４１の側の十字状ボール止め４４に当たり、ポンプ室３０の吸込み済の剤をチューブ４１経由で吐出ノズル３６の吐出口３７から剤透過底部３８に向けて吐出する。剤吐出器２４のポンプ室３０が足踏解除により減圧動作せしめられるとき、チェック弁４３はポンプ室３０の側の弁シート４５に着座し、吐出ノズル３６からの空気の逆流を止める。
【００１５】
清掃具１０は、清掃ヘッド２１のベース２２の剤透過底部３８に清掃シート５１を巻付け可能にする。清掃シート５１は、剤透過底部３８の外面に巻付けられ、その巻付き端をカバー２３の側に折り返し、その折り返し部分をカバー２３の４隅側に設けたゴム状係止片５２の係止スリット５２Ａに押込み保持可能にする。清掃シート５１は、紙、不織布、スポンジシート等の多孔質シートからなり、剤吐出器２４が剤透過底部３８に吐出した剤を吸着し、透過させて外側表面にしみ出させる。
【００１６】
清掃具１０の湿式によるによる清掃動作時には、使用者は適宜のタイミングで剤吐出器２４のプランジャ２７の足踏面２９を足踏みし、パウチ１の剤を吐出ノズル３６の吐出口３７から剤透過底部３８に吐出し、清掃シート５１からしみ出させる。使用者が柄１１を介して清掃ヘッド２１に巻付けた清掃シート５１を床面等の被清掃部上で摺動させることにより、剤がしみ出る清掃シート５１により湿式清掃する。
【００１７】
清掃具１０の乾式による清掃動作時には、使用者は剤吐出器２４のプランジャ２７の足踏面２９を足踏みすることなく、清掃ヘッド２１に巻付けた清掃シート５１を床面等の被清掃部上で摺動させ、清掃シート５１による乾式清掃を行なう。このとき、柄１１からパウチ１を取外せば、清掃具１０をより軽量化できる。
【００１８】
尚、清掃具１０にあっては、清掃ヘッド２１に清掃シート５１を巻付けることなく、清掃ヘッド２１のスポンジ状等の剤透過底部３８を床面等の被清掃部上に直接摺動させることにより、湿式清掃又は乾式清掃するものでも良い。
【００１９】
本実施形態によれば以下の作用効果を奏する。
（請求項１に対応する作用効果）
▲１▼足踏作動式の剤吐出器２４を清掃ヘッド２１に設けたから、使用者は腰をかがめる等の必要なく、足踏によって剤吐出器２４から剤を吐出させて清掃動作でき、剤の吐出操作性を向上できる。
【００２０】
▲２▼剤吐出器２４の操作部を柄１１の上部に設けるものに比して、柄１１の内部にリンク機構等を延在する必要がなく、清掃具１０を簡易かつ軽量化できる。
【００２１】
▲３▼剤吐出器２４から剤を吐出停止する状態では、清掃ヘッド２１による清掃動作に剤を伴なうことのない乾式清掃を実現できる。
【００２２】
（請求項２に対応する作用効果）
▲４▼清掃ヘッド２１の内部に剤吐出器２４の吐出口３７を配置し、清掃ヘッド２１の底部を剤透過底部３８とすることにより、清掃ヘッド２１の外部形状を単純化しながら、床面等の被清掃部に剤を散布又は塗布する等により、剤を確実に供給できる。
【００２３】
（請求項３に対応する作用効果）
▲５▼清掃ヘッド２１の剤透過底部３８に清掃シート５１を巻付けることにより、上述▲４▼の剤を清掃シート５１からしみ出させるようにして床面等の被清掃部を清掃できる。清掃ヘッド２１内に剤を霧状に吐出し、メッシュ状の剤透過底部３８を通じて清掃シート５１に均一に剤を供給することにより、清掃シート５１が部分的に濡れ過ぎて床面等の被清掃部上が剤でボタボタになることがない。即ち、清掃シート５１をほぼ均一に湿らせ、剤に浸して固く絞った雑巾で床面等の被清掃部を拭くことに似た状態で、畳やカーペット等の清掃を可能にした。
【００２４】
尚、本発明において、剤吐出器の吐出口は清掃ヘッドの外部に配置し、剤吐出器が吐出する剤を清掃ヘッドの進み方向の前方側等に散布等するものでも良い。
【００２５】
また、本発明において、剤吐出器は清掃ヘッドに固定又は着脱自在のいずれでも良い。
【００２６】
また、本発明において、パウチ等の剤収容部は柄に取付けるものに限らず、清掃ヘッドに内蔵するものでも良い。
【００２７】
【発明の効果】
本発明によれば、剤を吐出可能にする清掃具において、簡易かつ軽量化しながら、剤の吐出操作性を向上することができる。
【図面の簡単な説明】
【図１】図１は清掃具を示す斜視図である。
【図２】図２は清掃ヘッドを示す断面図である。
【図３】図３は清掃ヘッドを示す分解図である。
【符号の説明】
１０  清掃具
２１  清掃ヘッド
２４  剤吐出器
３７  吐出口
３８  剤透過底部
５１  清掃シート
【図１】
2004242801.tif 000003
【図２】
2004242801.tif 000004
【図３】
2004242801.tif 000005